(57)【要約】【課題】接続が解除された機器内のコンテンツを参照することができ、かつ、記憶装置の容量を圧迫しないようにすることを目的とする。【解決手段】機器の接続履歴情報を取得する接続履歴情報取得手段と、接続履歴情報取得手段で取得された前記接続履歴情報に基づいて、機器内のコンテンツの複製を行うコンテンツ複製手段と、を有することによって課題を解決する。【選択図】図３
2009187484.tif 000002
【特許請求の範囲】
【請求項１】
機器の接続履歴情報を取得する接続履歴情報取得手段と、
前記接続履歴情報取得手段で取得された前記接続履歴情報に基づいて、機器内のコンテンツの複製を行うコンテンツ複製手段と、
を有することを特徴とするコンテンツ保管装置。
【請求項２】
前記接続履歴情報取得手段で取得された前記接続履歴情報に基づいて、前記機器の接続が解除される時刻を予測する接続解除時刻予測手段を更に有し、
前記コンテンツ複製手段は、前記接続解除時刻予測手段で前記時刻の予測が可能な場合、前記時刻の前までに前記機器内のコンテンツの複製を完了させることを特徴とする請求項１に記載のコンテンツ保管装置。
【請求項３】
前記接続解除時刻予測手段は、前記接続履歴情報取得手段で取得された前記接続履歴情報と、前記機器の特性情報と、に基づいて、前記機器の接続が解除される時刻を予測することを特徴とする請求項２に記載のコンテンツ保管装置。
【請求項４】
前記接続解除時刻予測手段は、前記接続履歴情報取得手段で取得された前記接続履歴情報に含まれる接続解除時刻のばらつきの大きさに基づいて、前記機器の接続が解除される時刻を予測することを特徴とする請求項２に記載のコンテンツ保管装置。
【請求項５】
前記コンテンツ複製手段は、アクセス頻度が高いコンテンツから順に複製を行うことを特徴とする請求項１に記載のコンテンツ保管装置。
【請求項６】
前記コンテンツ複製手段で複製されたコンテンツに係る機器が再び接続され、前記機器内のコンテンツを参照することができるようになった場合、前記コンテンツ複製手段で複製された前記機器に係るコンテンツを削除する複製削除手段を更に有することを特徴とする請求項１に記載のコンテンツ保管装置。
【請求項７】
前記接続履歴情報取得手段で取得された前記接続履歴情報に基づいて、前記機器の接続が解除される時刻を予測する接続解除時刻予測手段を更に有し、
前記複製削除手段は、前記コンテンツ複製手段で複製されたコンテンツに係る機器が再び接続され、前記機器内のコンテンツを参照することができるようになった場合であっても、前記機器が、前記接続解除時刻予測手段において前記時刻の予測が不可能な機器であると判定された機器であるときは、前記コンテンツ複製手段で複製された前記機器に係るコンテンツを削除しないことを特徴とする請求項６に記載のコンテンツ保管装置。
【請求項８】
コンテンツ保管装置におけるコンテンツ保管方法であって、
機器の接続履歴情報を取得する接続履歴情報取得ステップと、
前記接続履歴情報取得ステップで取得された前記接続履歴情報に基づいて、機器内のコンテンツの複製を行うコンテンツ複製ステップと、
を有することを特徴とするコンテンツ保管方法。
【請求項９】
前記接続履歴情報取得ステップで取得された前記接続履歴情報に基づいて、前記機器の接続が解除される時刻を予測する接続解除時刻予測ステップを更に有し、
前記コンテンツ複製ステップでは、前記接続解除時刻予測ステップで前記時刻の予測が可能な場合、前記時刻の前までに前記機器内のコンテンツの複製を完了させることを特徴とする請求項８に記載のコンテンツ保管方法。
【請求項１０】
前記接続解除時刻予測ステップでは、前記接続履歴情報取得ステップで取得された前記接続履歴情報と、前記機器の特性情報と、に基づいて、前記機器の接続が解除される時刻を予測することを特徴とする請求項９に記載のコンテンツ保管方法。
【請求項１１】
前記接続解除時刻予測ステップでは、前記接続履歴情報取得ステップで取得された前記接続履歴情報に含まれる接続解除時刻のばらつきの大きさに基づいて、前記機器の接続が解除される時刻を予測することを特徴とする請求項９に記載のコンテンツ保管方法。
【請求項１２】
前記コンテンツ複製ステップでは、アクセス頻度が高いコンテンツから順に複製を行うことを特徴とする請求項８に記載のコンテンツ保管方法。
【請求項１３】
前記コンテンツ複製ステップで複製されたコンテンツに係る機器が再び接続され、前記機器内のコンテンツを参照することができるようになった場合、前記コンテンツ複製ステップで複製された前記機器に係るコンテンツを削除する複製削除ステップを更に有することを特徴とする請求項８に記載のコンテンツ保管方法。
【請求項１４】
前記接続履歴情報取得ステップで取得された前記接続履歴情報に基づいて、前記機器の接続が解除される時刻を予測する接続解除時刻予測ステップを更に有し、
前記複製削除ステップでは、前記コンテンツ複製ステップで複製されたコンテンツに係る機器が再び接続され、前記機器内のコンテンツを参照することができるようになった場合であっても、前記機器が、前記接続解除時刻予測ステップにおいて前記時刻の予測が不可能な機器であると判定された機器であるときは、前記コンテンツ複製ステップで複製された前記機器に係るコンテンツを削除しないことを特徴とする請求項１３に記載のコンテンツ保管方法。
【請求項１５】
コンピュータを、
機器の接続履歴情報を取得する接続履歴情報取得手段と、
前記接続履歴情報取得手段で取得された前記接続履歴情報に基づいて、機器内のコンテンツの複製を行うコンテンツ複製手段と、
して機能させることを特徴とするプログラム。
【請求項１６】
請求項１５に記載のプログラムを記憶したコンピュータにより読み取り可能な記憶媒体。
【発明の詳細な説明】
【技術分野】
【０００１】
本発明は、コンテンツ保管装置及びコンテンツ保管方法に関する。
【背景技術】
【０００２】
近年、パーソナルコンピュータを始め、ハードディスク／ＤＶＤビデオレコーダー、ビデオカメラ、ＰＤＡ、携帯電話、デジタルカメラ等、様々な電子機器が接続手段により接続されるようになってきた。なお、接続手段の一例としては、インターネットやＬＡＮ、ＵＳＢ、ＩＥＥＥ１３９４、ブルートゥース等がある。
これらの電子機器は、デジタルカメラや画像作成ソフト、ワープロ、表計算ソフト等により作成された多くのコンテンツを記憶する記憶装置を持っている。
【０００３】
これらの電子機器の記憶装置にはそれぞれ多くのコンテンツが保持されている。そして、相互の接続により、どの機器からでも瞬時に他の機器の記憶装置に記憶されているコンテンツを参照することが可能である。例えば、ユーザは、リビングのテレビから、リビングとは離れた場所にあるハードディスク／ＤＶＤビデオレコーダーやＰＤＡのコンテンツを参照することができる。
【０００４】
ハードディスク／ＤＶＤレコーダーは、常に他の機器（例えばテレビ等）に接続が行われているが、一方、ＰＤＡやカメラ等は、接続の解除が頻繁に行われる。当然、接続が解除されている間は、ユーザは、他の機器からその機器内のコンテンツを参照することはできない問題がある。
【０００５】
特許文献１には、接続が検知されたときにデータを受信し、内容を追加、削除又は変更する技術が開示されている。
また、特許文献２では、アクセス頻度の高いファイルを出来るだけクライアントマシンに保持させる技術が開示されている。
また、特許文献３では、接続状態に応じて、バックアップの能動化乃至非能動化を制御する技術が開示されている。
【０００６】
【特許文献１】特開２００３−１８８９５１号公報
【特許文献２】特開平０７−０２８６８５号公報
【特許文献３】特開平０４−０００６４８号公報
【発明の開示】
【発明が解決しようとする課題】
【０００７】
しかしながら、上述した特許文献１では、機器の接続の履歴に係わらず、内容を追加、削除又は更新する。そのため、殆ど接続の解除がないような機器の内容も保存することになり、不必要に内容を保持し、記憶装置の容量を圧迫する可能性がある。
【０００８】
また、上述した特許文献２では、アクセス頻度の低いファイルは複製が保持されない。そのため、アクセス頻度が低いファイルを参照できない場合がある。
【０００９】
また、上述した特許文献３では、機器の接続の履歴に係わらず、バックアップを行う為、不必要にバックアップを保持し、記憶装置の容量を圧迫する可能性がある。
【００１０】
つまり、何れの従来技術でも、不必要に内容を保持し、記憶装置の容量を圧迫する可能性がある問題がある。
【００１１】
本発明はこのような問題点に鑑みなされたもので、接続が解除された機器内のコンテンツを参照することができ、かつ、記憶装置の容量を圧迫しないようにすることを目的とする。
【課題を解決するための手段】
【００１２】
そこで、本発明は、機器の接続履歴情報を取得する接続履歴情報取得手段と、前記接続履歴情報取得手段で取得された前記接続履歴情報に基づいて、機器内のコンテンツの複製を行うコンテンツ複製手段と、を有することを特徴とする。
【００１３】
また、本発明は、コンテンツ保管装置におけるコンテンツ保管方法であって、機器の接続履歴情報を取得する接続履歴情報取得ステップと、前記接続履歴情報取得ステップで取得された前記接続履歴情報に基づいて、機器内のコンテンツの複製を行うコンテンツ複製ステップと、を有することを特徴とする。
【００１４】
また、本発明は、プログラム及び記憶媒体としてもよい。
【発明の効果】
【００１５】
本発明によれば、接続が解除された機器内のコンテンツを参照することができ、かつ、記憶装置の容量を圧迫しないようにすることができる。
【発明を実施するための最良の形態】
【００１６】
以下、本発明の実施形態について図面に基づいて説明する。
【００１７】
＜実施形態１＞
図１は、機器のハードウェア構成の一例を示す図である。
図１において、入力部１１は、情報（データ）を入力する。ＣＰＵ１２は、各種処理のための演算、論理判断等を行い、バス１６に接続された各構成要素を制御する。出力部１３は、情報（データ）を出力する。出力部１３の一例としては、ビットマップイメージを出力できるＬＣＤがあるが、ＣＲＴ等のディスプレイやプリンタ等でもよい。
【００１８】
プログラムメモリ１４は、後述するフローチャートの処理に係るプログラムを記憶するメモリである。プログラムメモリ１４は、ＲＯＭであってもよいし、ＲＡＭであってもよい。プログラムメモリ１４は、機器と一体化しておらず、分離して、無線、有線等何らかの通信手段で接続されている形態であってもよい。ＣＰＵ１２が、プログラムメモリ１４に記憶されているプログラムを実行することにより、機器の機能の一部、又は全てが実現される。
【００１９】
データメモリ１５は、表示データや各種処理で生じたデータを記憶するメモリである。データメモリ１５は、本実施形態では、ＲＡＭとする。データメモリ１５は、機器と一体化しておらず、分離して、無線、有線等何らかの通信手段で接続されている形態であってもよい。
【００２０】
バス１６は、ＣＰＵ１２の制御の対象とする各構成要素を指示するアドレス信号、各構成要素を制御するためのコントロール信号、各構成要素間で相互にやりとりされるデータの転送を行う。バス１６は、本実施形態では有線で接続されているが、通信を行える状態であれば、無線等の有線以外の形態でもよい。
【００２１】
図２は、機器間の接続の一例を示す図である。それぞれの機器は、図１のハードウェア構成を有しているものとする。
【００２２】
ホームサーバー（コンピュータ）２１は、大型記憶装置２２を有する。表示装置２３は、ホームサーバー２１内のコンテンツや接続された機器のコンテンツをユーザが参照する為の装置である。操作入力装置２４は、ユーザがコンテンツを参照する為に操作を行う装置である。
【００２３】
ホームサーバー２１には、コンテンツを持つ様々な機器を接続することができる。図２では、例えば、ビデオレコーダー２５、ノートパソコン２６、ビデオカメラ２７、ＰＤＡ２８、携帯電話２９、デジタルカメラ３０がホームサーバー２１に接続されている。接続は、有線ＬＡＮ、無線ＬＡＮ、ＵＳＢ、ＩＥＥＥ１３９４、ブルートゥース（登録商標）等、制御命令やコンテンツを送受信できるものであれば、どのような形態であってもよい。なお、制御命令によってコンテンツを参照できる状態を接続されている状態とし、制御命令を送ってもコンテンツを参照できない状態を接続が解除されている状態と呼ぶ。単に電源が入っていたり、結線されていたりしても制御命令を送ってもコンテンツを参照できない状態であれば、接続が解除されている状態と呼ぶ。
【００２４】
機器が接続されている状態であれば、ユーザは、操作入力装置２４で操作することにより、接続された機器内にあるコンテンツを表示装置２３で参照することができる。
一方、本実施形態によらない場合、ユーザは、接続が解除された機器内にあるコンテンツを表示装置２３で参照することはできない。
【００２５】
本実施形態では、機器（コンテンツ保管装置）は、自身と接続される他の機器の接続の履歴（接続履歴情報）を保存しておき、機器の接続の履歴から機器の接続が解除される時刻を予想する。そして、機器（コンテンツ保管装置）は、自身と接続される他の機器の接続が解除される前に、機器内のコンテンツの複製を作成し、ホームサーバー２１に記憶する。このため、ユーザは、機器の接続が解除された状態でも、その機器内のコンテンツを、操作入力装置２４を操作することにより、表示装置２３で参照することができる。また、機器（コンテンツ保管装置）は、再び機器が接続（再接続）され、機器内のコンテンツを参照できるようになった場合、ホームサーバー２１内のコンテンツの複製を削除する。このため、不必要にホームサーバー２１の容量を圧迫しない。
【００２６】
図３は、機器の接続の履歴を取得し、接続解除の時刻を予測可能な機器か否か等の振り分けを行う動作の一例を示すフローチャートである。なお、以下では、コンテンツ保管装置の一例として、ホームサーバー２１を用いて説明を行う。
ステップＳ１１において、ホームサーバー２１は、接続機器の中から１つの機器を選択し、機器の接続状況を検出する。
【００２７】
ステップＳ１２において、ホームサーバー２１は、前記検出した接続状況に基づいて、接続が解除されているか否かを判定する。ホームサーバー２１は、接続が解除されていると判定した場合、ステップＳ１５に進み、接続が解除されていないと判定した場合、ステップＳ１３に進む。ホームサーバー２１は、物理的に結線されていても、コンテンツ取得の要求に対してコンテンツを取得できない状態であれば、接続が解除されていると判定する。
【００２８】
ステップＳ１３において、ホームサーバー２１は、処理対象の機器の接続履歴情報を取得し（接続履歴情報取得）、取得した接続履歴情報に基づいて、過去に接続が解除されたことがあるか否かを判定する。ホームサーバー２１は、過去に接続が解除されたことがあると判定した場合、ステップＳ２１に進み、過去に接続が解除されたことがないと判定した場合、ステップＳ１４に進む。
【００２９】
ステップＳ１４において、ホームサーバー２１は、前記機器を接続解除無しの機器と設定する。
【００３０】
一方、ステップＳ１５において、ホームサーバー２１は、処理対象の機器の機器ＩＤに基づいて、前記機器の接続履歴情報に、接続解除された時刻を記憶する。ステップＳ１６において、ホームサーバー２１は、処理対象の機器の接続履歴情報を取得し（接続履歴情報取得）、取得した接続履歴情報に含まれる過去の接続解除された時刻を複数、取得し、その時刻の平均を取る。そして、ホームサーバー２１は、前記機器ＩＤに対応する機器の解除予測時刻とする（接続解除時刻予測）。ステップＳ１７において、ホームサーバー２１は、解除予測時刻と、前記記憶した時刻と、の平均をとり、平均時間とする。
【００３１】
ステップＳ１８において、ホームサーバー２１は、前記取得した複数の時刻のばらつきが、前記平均時間の１０％以内であるか否かを判定する。ホームサーバー２１は、前記取得した複数の時刻のばらつきが、前記平均時間の１０％以内であると判定した場合、ステップＳ２０に進み、前記取得した複数の時刻のばらつきが、前記平均時間の１０％以内でないと判定した場合、ステップＳ１９に進む。
【００３２】
ステップＳ１９において、ホームサーバー２１は、前記機器を解除時刻予測不可能な機器とする。一方、ステップＳ２０において、ホームサーバー２１は、前記機器を解除時刻予測可能な機器とする。なお、本実施形態では、解除時刻を予測可能か、不可能かを、時刻のばらつきが平均時間の１０％以内であるか否かで判別するよう説明を行ったが、１０％以外の数値で行ってもよいし、この数値をユーザが設定可能としてもよい。
【００３３】
ステップＳ２１において、ホームサーバー２１は、次の機器を選択する。ステップＳ２２において、ホームサーバー２１は、ステップＳ２１で次の機器を選択できたか否かを判定し、選択できていた場合、ステップＳ１１に戻り、選択できていなかった場合、ステップＳ２３に進む。
【００３４】
ステップＳ２３において、ホームサーバー２１は、最初の機器を選択し、ステップＳ１１に戻る。
図３に示した処理により、機器は、
１．接続解除時刻の予測が可能な機器
２．解除（接続解除）無しの機器
３．接続解除時刻の予測が不可能な機器
の３種類に分類される。
【００３５】
図４は、図３の処理により、分類された機器の制御を行う動作の一例を示すフローチャートである。
ステップＳ３１において、ホームサーバー２１は、選択した機器が、
１．接続解除時刻の予測が可能な機器
２．解除（接続解除）無しの機器
３．接続解除時刻の予測が不可能な機器
の何れかを判断する。
【００３６】
ホームサーバー２１は、接続解除時刻の予測が可能な機器であると判断した場合、ステップＳ３３に進む。また、ホームサーバー２１は、接続解除無しの機器であると判断した場合、機器内のコンテンツの複製を行わず、図４に示す処理を終了する。また、ホームサーバー２１は、接続解除時刻の予測が不可能な機器であると判断した場合、ステップＳ３２に進む。
【００３７】
ステップＳ３２において、ホームサーバー２１は、前記選択した機器内のコンテンツの複製を作成し、ホームサーバー２１内のメモリ又は大型記憶装置２２に記憶する（コンテンツ複製）。
一方、ステップＳ３３において、ホームサーバー２１は、前記選択した機器内のコンテンツの複製にかかる時間を算出する。より具体的に説明すると、ホームサーバー２１は、例えば、前記コンテンツのサイズ等に応じてコンテンツの複製にかかる時間を算出する。
【００３８】
ステップＳ３４において、ホームサーバー２１は、前記選択した機器の解除予測時刻からステップＳ３３で算出したコンテンツの複製にかかる時間をひいた時刻を複製開始時刻とする。
ステップＳ３５において、ホームサーバー２１は、前記複製開始時刻に複製を開始する（コンテンツ複製）。
【００３９】
上述したように、本実施形態によれば、接続履歴情報に応じて、機器を
１．接続解除時刻の予測が可能な機器
２．解除（接続解除）無しの機器
３．接続解除時刻の予測が不可能な機器
の何れかに振り分けることができる。
そして、この振り分けに応じて、機器内のコンテンツの複製を行うか否かを決定し、複製を行う場合も、接続解除時刻の予測が可能な機器のコンテンツは、複製開始時刻を算出し、その時刻になったときに複製を生成する。このことにより、記憶装置の容量を無駄に消費せず（圧迫せず）、接続が解除された機器内のコンテンツを参照することができるようにすることができる。また、本実施形態の処理によれば、機器ごと或いはコンテンツごとに、複製の必要があるか否かを設定する必要がない。
【００４０】
＜実施形態２＞
本実施形態では、ホームサーバー２１は、実施形態１と同様に機器を
１．接続解除時刻の予測が可能な機器
２．解除（接続解除）無しの機器
３．接続解除時刻の予測が不可能な機器
の３種類に分類する。
【００４１】
そして、ホームサーバー２１は、実施形態１と同様に、接続解除時刻の予測が可能な機器に対しては、接続解除時刻を予測し、複製開始時刻を算出し、複製を行う。このとき、接続解除時刻までに機器の接続が解除される場合がある。この場合、複製は途中で止まってしまい、全ての複製を生成することはできなくなってしまう。
そのため、本実施形態では、ホームサーバー２１は、アクセス頻度に応じてコンテンツに優先順位をつけ、優先度の高いコンテンツから複製を行うことにする。このことにより、複製が全て完了しなかった場合でも、アクセス頻度の高いコンテンツは、複製される。よって、機器の接続の解除が行われても、ユーザは、アクセス頻度の高いコンテンツを参照することができる。
【００４２】
図５は、アクセス頻度の高いコンテンツから複製を作成する動作の一例を示すフローチャートである。
ステップＳ４１において、ホームサーバー２１は、処理対象の機器内のコンテンツのアクセス頻度に応じて、前記機器内のコンテンツごとに優先度を設定する。ここで、前提条件として、ホームサーバー２１は、機械のコンテンツにアクセスがあった場合は、そのアクセス情報を記憶しているものとする。
【００４３】
ステップＳ４２において、ホームサーバー２１は、処理対象の機器の接続が解除されたか否かを判定する。ホームサーバー２１は、処理対象の機器の接続が解除されたと判定した場合、図５に示す処理を終了し、処理対象の機器の接続が解除されていないと判定した場合、ステップＳ４３に進む。
【００４４】
ステップＳ４３において、ホームサーバー２１は、処理対象の機器内のコンテンツで複製を生成していない中で一番優先度の高いコンテンツを取り出す。
ステップＳ４４において、ホームサーバー２１は、ステップＳ４３でコンテンツを取り出すことができたか否かを判定する。ホームサーバー２１は、ステップＳ４３でコンテンツを取り出すことができた場合、ステップＳ４５に進み、ステップＳ４３でコンテンツを取り出すことができなかった場合、図５に示す処理を終了する。
ステップＳ４５において、ホームサーバー２１は、ステップＳ４３で取り出したコンテンツの複製を生成し、記憶する（コンテンツ複製）。
【００４５】
本実施懈怠によれば、コンテンツのアクセス頻度の高い順に優先順位を付け、優先順位順に複製を生成することにより、複製が完了する前に接続が解除されても優先度の高いコンテンツは複製が完了しているため、参照することができる。
【００４６】
＜実施形態３＞
本実施形態では、実施形態１の図３のステップＳ１８において、機器の特性（又は特性情報、又は種類）に応じて、ばらつきの範囲を変化させる。より具体的に説明すると、頻繁に取り外される可能性が高いデジタルカメラ、ビデオカメラ等の機器では１０％とする。また、定期的に取り外しが行われるノートパソコンやＰＤＡでは２０％とする。また、めったに取り外しが行われない機器では５０％若しくは解除無しとする。なお、これらの設定は、ユーザが行っておくものとする。つまり、ユーザは、機器に応じて、何％以内のものを時刻予測が可能な機器とするか、設定ファイル等に設定しておく。そして、ホームサーバー２１は、処理対象の機器の種類（特性）と、この設定ファイルの設定と、に応じて、ばらつきの範囲を変化させ、その範囲に応じて、ステップＳ１８の判定を行う。
本実施形態によれば、接続解除の予測時刻の予測精度を向上させることができる。
【００４７】
＜実施形態４＞
本実施形態のホームサーバー２１は、実施形態１の図４、又は実施形態２の図５において、複製したコンテンツに係る機器が再び接続され、この機器内のコンテンツが参照可能となった場合、前記複製したコンテンツを削除する（複製削除）。このようにすることにより、コンテンツの複製が不必要に記憶装置の一例であるメモリ、又は大型記憶装置２２の容量を圧迫することがなくなる。
【００４８】
なお、ホームサーバー２１は、複製したコンテンツに係る機器が再び接続され、この機器内のコンテンツが参照可能となった場合でも、接続解除時刻の予測が不可能な機器に係るコンテンツであったときは前記複製したコンテンツを削除しないようにしてもよい。このようにすることによって、機器の接続の解除が頻繁に行われるような機器のコンテンツを常時参照可能とすることができる。
【００４９】
＜その他の実施形態＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００５０】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００５１】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００５２】
本発明を前記記憶媒体に適用する場合、その記憶媒体には、先に説明したフローチャートに対応するプログラムコードが格納されることになる。
【００５３】
以上、上述した実施形態によれば、接続が解除された機器内のコンテンツを参照することができ、かつ、記憶装置の容量を圧迫しないようにすることができる。
【００５４】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００５５】
【図１】機器のハードウェア構成の一例を示す図である。
【図２】機器間の接続の一例を示す図である。
【図３】機器の接続の履歴を取得し、接続解除の時刻を予測可能な機器か否か等の振り分けを行う動作の一例を示すフローチャートである。
【図４】図３の処理により、分類された機器の制御を行う動作の一例を示すフローチャートである。
【図５】アクセス頻度の高いコンテンツから複製を作成する動作の一例を示すフローチャートである。
【符号の説明】
【００５６】
１１  入力部
１２  ＣＰＵ
１３  出力部
１４  プログラムメモリ
１５  データメモリ
【図１】
2009187484.tif 000003
【図２】
2009187484.tif 000004
【図３】
2009187484.tif 000005
【図４】
2009187484.tif 000006
【図５】
2009187484.tif 000007